【手続補正書】
【提出日】平成17年5月18日(2005.5.18)
【手続補正１】
【補正対象書類名】特許請求の範囲
【補正対象項目名】全文
【補正方法】変更
【補正の内容】
【特許請求の範囲】
【請求項１】
取り外し可能な一対の供給ロールとともに用いられ、前記取り外し可能な供給ロールが、巻き戻して供給される蓄積材料を担持し、また、前記蓄積材料の少なくとも一方が塗布された接着剤層を有するマスター処理装置において、
前記供給ロールが取り外し可能に装着されるように構成配置されているフレームと、
前記供給ロールが前記フレームに取り外し可能に装着されているときに、マスターが、前記供給ロールの各々から巻き戻された前記蓄積材料とともに挿入されて、前記マスターの両面に配置されるように構成配置されているマスター処理組立体と、
前記マスター処理組立体の排出側の前記フレームに、装着作動位置にて取り外し可能に設けられカッター組立体とを含み、
前記マスター処理組立体の構成配置は、前記供給側に送り方向に送り込まれる前記マスターと前記蓄積材料が接着され、次に、前記処理済マスターと蓄積材料が前記排出側から外方に排出されるマスター処理作業が実行されるようになっており、
前記カッター組立体が、（ａ）前記フレームに取り外し可能に装着されて、前記フレームに対して概ね横断方向に延在し、前記処理組立体から排出される前記処理済マスターと蓄積材料をほぼ水平関係に受承、支持するように構成された基材支持面を有するベース部材と、（ｂ）前記ベース部材に装着され、前記処理組立体から排出されて前記ベース部材上に保持される前記蓄積材料を送り方向に対して概ね横断方向に切断し、前記処理済マスターと蓄積材料を含む最終製品を、前記蓄積材料の供給残余部から切離す切離形態の切断作業を実行するための移動可能な刃とを有し、
さらに、前記カッター組立体が、ユニットとして、前記フレームから取外されて、前記フレームとは別の概ね水平の表面上の取り外し作業位置に配置できるように構成配置され、また、前記カッター組立体が前記取り外し作業位置にある時に、その他の切断作業を行なうために前記刃が可動であり、該切断作業が、前記処理済蓄積材料を前記送り方向で切断するトリミング作業を包含するように構成配置されているマスター処理装置。
【請求項２】
前記カッター組立体が、前記ベース部材に可動に装着された案内部材を含み、
前記刃が、前記案内部材に沿う案内された切断移動のために前記案内部材に摺動可能に装着されている請求項１に記載されたマスター処理装置。
【請求項３】
前記案内部材が、（ａ）前記刃組立体により前記処理済マスターと蓄積材料が切断されることを防止するために、前記基材支持面の上方に間隔を置いて前記刃が配置される非切断位置と、（ｂ）前記刃の切断部が前記基材支持面より下方まで延出して、前記切断部の前記下向き突出部により前記処理済マスターと蓄積材料の厚さ方向全体を、切断移動中に切断することができるよう前記刃が配置される切断位置との間を手動により選択的に移動できるように、前記ベース部材に可動に装着されている請求項２に記載されたマスター処理装置。
【請求項４】
前記案内部材を前記非切断位置方向に付勢するための付勢部をさらに含む請求項３に記載されたマスター処理装置。
【請求項５】
前記案内部材が可動的に装着されて、前記刃が、前記非切断位置と前記切断位置との間を概ね弧形経路に沿って移動する請求項３に記載されたマスター処理装置。
【請求項６】
前記カッター組立体が、前記フレームに前記装着作動位置にて設けられたとき、前記刃が、前記切断位置では前記マスター処理組立体の前記排出側に極めて近接して配置され、さらに、前記案内部材が、前記ベース部材に可動に装着されて、前記案内部材が前記非切断位置から前記切断位置に動かされると、装着された前記刃が、前記マスター処理組立体方向と下向きの両方向に移動する請求項３に記載されたマスター処理装置。
【請求項７】
前記案内部材が、その対向する端部から延出する一対の装着アームを有し、さらに、前記装着アームが、前記ベース部材に枢着されて、前記案内部材を可動的に装着する請求項３に記載されたマスター処理装置。
【請求項８】
前記ベース部材が刃受け溝を有し、前記刃の前記切断部が、前記作動位置では前記刃受け溝の内部まで延出し、前記切断部が、前記基材支持面より下方まで延出する請求項３に記載されたマスター処理装置。
【請求項９】
前記フレームが第一固定部を有し、前記カッター組立体の前記ベース部材が第二固定部を有し、前記第一固定部と前記第二固定部を互いに係合させることにより前記フレームに配設可能になり、前記カッター組立体が、前記フレームに前記装着作動位置にて固定される請求項１に記載されたマスター処理装置。
【請求項１０】
前記ベース部材が、前記カッター組立体の前記取り外し作業位置では概ね水平な面に係合する請求項１に記載されたマスター処理装置。
【請求項１１】
前記ベース部材が複数の支持面係合要素を有し、前記支持面係合要素が、（ａ）前記カッター組立体が前記フレームから取外されて、前記取り外し作業位置にて前記支持面に配置されたとき、前記支持面と係合して前記カッター組立体を安定して支持し、（ｂ）前記カッター組立体が前記装着作動位置にて前記フレームに設けられるとき、前記カッター組立体を前記フレームに位置決めするように構成配置されている請求項１０に記載されたマスター処理装置。
【請求項１２】
前記ベース部材が、前記基材支持面に目盛を有する請求項１に記載されたマスター処理装置。
【請求項１３】
フレームと、
供給用の第一蓄積材料と第二蓄積材料を各々担持し、前記フレームに装着されて前記蓄積材料を巻出可能にせしめ、さらに、前記蓄積材料の少なくとも一方が、接着剤が塗布された層を有する第一および第二供給ロールと、前記供給ロールが前記フレームに取り外し可能に装着されているときに、マスターが、前記供給ロールの各々から巻き戻された前記蓄積材料とともに挿入されて、前記マスターの両面に配置されるように構成配置されているマスター処理組立体と、
前記マスター処理組立体の排出側の前記フレームに、装着作動位置にて取り外し可能に設けられたカッター組立体とを含むマスター処理システムにおいて、
前記マスター処理組立体の構成配置が、前記供給側に送り方向に送り込まれる前記マスターと前記蓄積材料が接着され、次に、前記処理済マスターと蓄積材料が前記排出側から外方に排出される前記マスター処理作業が実行されるようになっており、
前記カッター組立体が、（ａ）前記フレームに取り外し可能に装着されて、前記フレームに対して概ね横断方向に延在し、前記処理組立体から排出される前記処理済マスターと蓄積材料をほぼ水平関係に受承、支持するように構成された基材支持面を有するベース部材と、（ｂ）前記ベース部材に装着され、前記処理組立体から排出されて前記ベース部材上に保持される前記蓄積材料を送り方向に対して概ね横断方向に切断し、前記処理済マスターと蓄積材料を含む最終製品を、前記蓄積材料の供給残余部から切離す切離形態の切断作業を実行するための移動可能な刃とを有し、
さらに、前記カッター組立体が、ユニットとして、前記フレームから一体的に取外されて、前記フレームとは別の概ね水平な面上の取り外し作業位置に配置できるように構成配置され、また、前記カッター組立体が前記取り外し作業位置にあるとき、前記刃が移動されて前記処理済蓄積材料を前記送り方向に切断するトリミング作業を含む別の切断作業を実行するために、前記刃が可動に構成配置されているマスター処理システム。
【請求項１４】
前記マスター処理組立体が、前記マスター処理作業中に、前記マスターと前記蓄積材料を加圧するように構成配置され、協働する一対のニップ・ローラーを含む請求項１３に記載されたマスター処理システム。
【請求項１５】
前記マスター処理組立体の作動に影響を与えるように構成配置されたアクチュエータをさらに含む請求項１３に記載されたマスター処理システム。
【請求項１６】
請求項１３に記載されたマスター処理システムにおいて、カートリッジ本体部を有するカートリッジをさらに含み、前記供給ロールが前記カートリッジ本体部に装着され、さらに、前記カートリッジ本体部が前記フレームに取り外し可能に装着されているマスター処理システム。
【請求項１７】
前記カッター組立体が、前記ベース部材に可動に装着された案内部材を含み、
前記刃が、前記案内部材に沿う案内された切断移動のために前記案内部材に摺動可能に装着されている請求項１３に記載されたマスター処理システム。
【請求項１８】
前記案内部材が、（ａ）前記刃組立体により前記処理済マスターと蓄積材料が切断されることを防止するために、前記基材支持面の上方に間隔を置いて前記刃が配置される非切断位置と、（ｂ）前記刃の切断部が前記基材支持面より下方まで延出して、前記切断部の前記下向き突出部により前記処理済マスターと蓄積材料の厚さ方向全体を、切断移動中に切断することができるよう前記刃が配置される切断位置との間を手動により選択的に移動できるように、前記ベース部材に可動に装着されている請求項１７に記載されたマスター処理システム。
【請求項１９】
前記案内部材を前記非切断位置方向に付勢するための付勢部をさらに含む請求項１８に記載されたマスター処理システム。
【請求項２０】
前記案内部材が可動に装着されて、前記刃が、前記非切断位置と前記切断位置との間で、概ね弧形経路に沿って移動するようになっている請求項１８に記載されたマスター処理システム。
【請求項２１】
前記カッター組立体が、前記フレームに前記装着作動位置にて設けられたとき、前記刃が、前記切断位置にて前記マスター処理組立体の前記排出側に極めて近接して配置され、さらに、前記案内部材が、前記ベース部材に可動的に装着されて、前記案内部材が前記非切断位置から前記切断位置に動かされると、装着された前記刃が、前記マスター処理組立体方向と下向きの両方向に移動する請求項１８に記載されたマスター処理システム。
【請求項２２】
前記案内部材が、その対向する端部から延出する一対の装着アームを有し、さらに、前記装着アームが、前記ベース部材に枢着されて、前記案内部材を可動的に装着する請求項１８に記載されたマスター処理システム。
【請求項２３】
前記ベース部材が刃受け溝を有し、前記刃の前記切断部が、作動位置では前記刃受け溝の内部まで延出し、前記切断部が、前記基材支持面より下方まで延出する請求項１８に記載されたマスター処理システム。
【請求項２４】
前記フレームが第一固定部を有し、前記カッター組立体の前記ベース部材が第二固定部を有し、前記第一固定部と前記第二固定部を互いに係合させることにより前記フレームに配設可能になり、前記カッター組立体が、前記フレームに装着作動位置にて固定される請求項１３に記載されたマスター処理システム。
【請求項２５】
前記ベース部材が、前記カッター組立体の前記取り外し作業位置では概ね水平な面に係合する請求項１３に記載されたマスター処理システム。
【請求項２６】
前記ベース部材が複数の支持面係合要素を有し、前記支持面係合要素が、（ａ）前記カッター組立体が前記フレームから取外されて、前記取り外し作業位置にて前記支持面に配置されたとき、前記支持面と係合して前記カッター組立体を安定して支持し、（ｂ）前記カッター組立体が前記装着作動位置にて前記フレームに設けられるとき、前記カッター組立体を前記フレームに位置決めするように構成配置されている請求項２５に記載されたマスター処理システム。
【請求項２７】
前記ベース部材が、前記基材支持面に目盛を有する請求項１３に記載されたマスター処理システム。
【請求項２８】
取り外し可能な一対の供給ロールとともに用いられ、前記取り外し可能な供給ロールが、巻き戻して供給される蓄積材料を担持し、また、前記蓄積材料の少なくとも一方が、接着剤が塗布された層を有するマスター処理装置であり、
前記供給ロールを取り外し可能に装着するように構成配置されているフレームと、
前記供給ロールが前記フレームに取り外し可能に装着されているときに、マスターが、前記供給ロールの各々から巻き戻された前記蓄積材料とともに挿入されて、前記マスターの両面に配置されるように構成配置されているマスター処理組立体と、
前記マスター処理組立体の排出側の前記フレームに、装着作動位置にて取り外し可能に設けられ、切離形態の切断作業を実行するための可動刃を有し、前記刃が、前記処理組立体から排出される前記蓄積材料を送り方向に対して概ね横断方向に切断して、前記処理済マスターと蓄積材料を含む最終製品を、前記蓄積材料の供給残余部から切離すカッター組立体とを含むマスター処理装置において、
前記マスター処理組立体で、前記供給側に送り方向に送り込まれる前記マスターと前記蓄積材料が接着され、次に、前記処理済マスターと蓄積材料が前記排出側から外向きに排出される前記マスター処理作業が実施されるように、前記マスター処理組立体が構成配置されており、
前記カッター組立体が、概ね横断方向に延在する案内部材と前記刃を担持する刃担持部を含み、また、前記刃担持部が、前記刃と前記担持部が前記案内部材に沿って概ね横断方向に移動して切離作業を実行することができるように前記案内部材に装着され、
さらに、前記案内部材が、開放空間を前記案内部材に形成するための取外し可能な係脱部を有し、前記開放空間が、（ａ）前記刃担持部を前記開放空間に横向きに移動させて、前記担持部を前記案内部材から離脱させ、また、（ｂ）前記刃担持部を前記開放空間に配置して、前記刃担持部を前記案内部材上に移動させて装着することができるように構成されているマスター処理装置。
【請求項２９】
取り外し可能な一対の供給ロールとともに用いられ、前記取り外し可能な供給ロールが、巻き戻して供給される蓄積材料を担持し、また、前記蓄積材料の少なくとも一方が、塗布された接着剤層を有するマスター処理装置であり、
前記供給ロールを取り外し可能に装着するように構成配置されたフレームと、
前記供給ロールが前記フレームに取り外し可能に装着されたときに、マスターが、前記供給ロールの各々から巻き戻された前記蓄積材料とともに挿入されて、前記マスターの両面に配置されるように構成配置されているマスター処理組立体と、
前記マスター処理組立体の供給側、または、排出側の前記フレームに装着作動位置にて取り外し可能に設けられて、前記マスター処理組立体に送り込まれる処理済マスターと蓄積材料支持部をほぼ水平関係に受承、支持するように構成された基材支持面を有する支持構造体とを有するマスター処理装置において、
前記マスター処理組立体で、前記供給側に送り方向に送り込まれる前記マスターと前記蓄積材料が接着され、次に、前記処理済マスターと蓄積材料が前記排出側から外向きに排出される前記マスター処理作業が実施されるように、前記マスター処理組立体が構成配置されており、
前記フレームが、前記装着作動位置にある前記マスター処理組立体の前記支持構造体と同じ側に格納区画を含み、また、前記格納区画が、上向き開口を有して、物体を内部に格納するように構成されており、
さらに、前記支持構造体が、前記フレームに前記装着作動位置にて設けられたとき、前記格納区画の前記上向き開口を覆うように配置され、さらに、前記支持構造体が、前記フレームから取外されることにより、前記フレームの前記格納区画に前記上向き開口を通してアクセスできるように、前記支持構造体が構成配置されているマスター処理装置。
【請求項３０】
前記支持構造体が、前記マスター処理組立体の前記排出側の前記装着作動位置にて取り外し可能に装着されている請求項２９に記載されたマスター処理装置。
【請求項３１】
前記支持構造体がカッター組立体用のベース部材であり、また、前記カッター組立体が、切離形態の切断作業を実行するための可動刃を有し、前記刃が、前記処理組立体から排出される前記蓄積材料を送り方向に対して概ね横断方向に切断して、前記処理済マスターと蓄積材料を含む最終製品を、前記蓄積材料の供給残余部から切離し、
さらに、前記カッター組立体が、前記フレームから取外されて、前記フレームとは別の概ね水平な面上の取り外し作業位置に配置できるように構成配置され、また、前記カッター組立体が前記取り外し作業位置にあるとき、前記刃が移動されて前記処理済蓄積材料を前記送り方向に切断するトリミング作業を含む別の切断作業を実行するために、前記刃が可動的に構成配置されている請求項３０に記載されたマスター処理装置。
【請求項３２】
前記カッター組立体が、前記ベース部材に可動的に装着された案内部材をさらに含み、前記刃が、前記案内部材に沿う案内された切断移動のために前記案内部材に摺動可能に装着されている請求項３１に記載されたマスター処理装置。
【請求項３３】
前記案内部材が、（ａ）前記刃組立体により前記処理済マスターと蓄積材料が切断されることを防止するために、前記基材支持面の上方に間隔を置いて前記刃が配置される非切断位置と、（ｂ）前記刃の切断部が前記基材支持面より下方まで延出して、前記切断部の前記下向き突出部により前記処理済マスターと蓄積材料の厚さ方向全体を、切断移動中に切断することができるよう前記刃が配置される切断位置との間を手動により選択的に移動できるように、前記ベース部材に可動的に装着されている請求項３２に記載されたマスター処理装置。